(57)【特許請求の範囲】
【請求項１】
建造物の躯体又は支柱に対し片流れ屋根構造の屋根ユニットを支持固定する構造に用いる金具であって、
予め躯体又は支柱に固定しておくための上向きコ字状金具を有しており、その片方の腕部を躯体又は支柱に固定し、他方の腕部には、前記の固定側の腕部に向けてフック用ネジを螺合してあること、
前記の両方の腕部間の底板部は、屋根の勾配と同じ角度となるように傾斜させてあることを特徴とする屋根ユニットの支持金具。
【請求項２】
建造物の躯体又は支柱に対し片流れ屋根構造の屋根ユニットを取付け固定する資材であって、
屋根ユニットの勾配上側を支持するための上向きコ字状金具は、その片方の腕部が躯体又は支柱に固定可能となっており、他方の腕部には、前記の固定側の腕部に向けてフック用ネジを螺合してあること、
前記の両方の腕部間の底板部は、屋根の勾配と同じ角度となるように傾斜させてあること、
屋根ユニットの勾配上端部には、前記のコ字状金具のフック用ネジの下側に回動して嵌め込まれるほぼＬ字状部を固定してあり、このＬ字状部の縦辺側が躯体又は支柱に固定可能となっており、横向き辺は、前記コ字状金具の底板部の上にピッタリと重なる角度となっていることを特徴とする屋根ユニットと取付け資材。
【請求項３】
建造物の躯体又は支柱に対し片流れ屋根構造の屋根ユニットを取付け固定した構造であって、
屋根ユニットの勾配上側を支持するための上向きコ字状金具は、その片方の腕部が躯体又は支柱に取付け固定されており、他方の腕部には、前記の固定側の腕部に向けてフック用ネジを螺合してあること、
前記の両方の腕部間の底板部は、屋根の勾配と同じ角度となるように傾斜させてあること、
屋根の勾配上端部には、前記のコ字状金具のフック用ネジの下側に回動して嵌め込まれたほぼＬ字状部を固定してあり、このＬ字状部の縦辺側が躯体又は支柱に固定されており、横向き辺は、前記コ字状金具の底板部の上にピッタリと重なっていることを特徴とする屋根ユニットの取付け固定構造。
【請求項４】
建造物の躯体又は支柱に対し片流れ屋根構造の屋根ユニットを取付け固定する施工方法であって、
屋根ユニットの勾配上側を支持する上向きコ字状金具は、その片方の腕部を躯体又は支柱に固定してあり、他方の腕部には、前記の固定側の腕部に向けてフック用ネジを螺合した状態において、
前記の屋根ユニットを立てた状態で、屋根勾配上端のほぼＬ字状部の横向き辺を前記の固定側の腕部とフック用ネジの先端との間に引っ掛けた状態で、屋根ユニットの下側を回動上昇させて所定の勾配角度とする際に、Ｌ字状部の横向き辺をフック用ネジの下側に回動させて潜り込ませてから、前記の屋根ユニットの勾配上桁を躯体又は支柱に固定することを特徴とする屋根ユニットの取付け固定方法。
【発明の詳細な説明】
【技術分野】
【０００１】
本発明は、建物の躯体又は支柱などに、テラスや簡易小屋、車庫などのための屋根ユニットを取付け固定する構造と施工方法に関する。
【背景技術】
【０００２】
実公昭59−3464１号公報に記載のように、建物の躯体に予め固定しておいたブラケットに、予め地上で組み立てた屋根ユニットを立てて、その軒桁を前記ブラケットの立ち上がり部に引っ掛けてから、該屋根ユニットの軒側を持ち上げて所定の勾配に固定する施工方法が提案されている。こうして、屋根ユニットの軒側に立てた支柱で屋根ユニットを支持すると共に、屋根ユニットの前記軒桁を躯体側に木ネジで固定する。
【０００３】
また、特開平６−1750２号公報に記載のように、建物の躯体外壁面にほぼＪ字形断面を有する係止部材を予め水平に固定しておき、地上で予め組み立てておいた屋根ユニットを立てて、その垂木掛けのＪ字状の突起部を前記の係止部材のＪ字状部に引っ掛け、次いで屋根ユニットの軒側を上昇させて所定の勾配に支柱で支持する施工方法が提案されている。
【発明の開示】
【発明が解決しようとする課題】
【０００４】
しかしながら、前記のいずれの施工方法も、屋根ユニットの軒桁を躯体側壁の前記のＪ字状係止部に引っ掛けた状態で軒側を上昇させて所定の勾配まで軒側を回動上昇させる間に、屋根ユニットの軒桁側がＪ字状係止部から浮き上がってしまって、円滑に施工できない恐れがある。
【０００５】
すなわち、屋根ユニットはそのもや方向に所定の長さを有しているため、全長にわたって均一に屋根ユニットの軒桁を躯体側の係止部に載せることが困難である。特に、屋根ユニットの軒側を回動上昇させるという操作を行なう際に、屋根ユニットの軒桁が部分的に躯体側の係止部から浮き上がってしまったりする。
【０００６】
このような問題は、屋根ユニットを回動上昇させる操作を一人で行う場合であろうと、複数人で行なう場合であろうと、共通して発生する。また、風雨が強い場合のように気象条件が悪い場合とか、不安定な場所や高所で施工する場合に特に発生しやすい。
【０００７】
屋根ユニットを所定の勾配まで回動上昇させた状態で、屋根ユニット全体を支柱で支持する必要があるが、このように屋根ユニットを支持しかつ固定が完了するまでは、屋根ユニットの軒桁側が係止部から浮き上がり可能なため、その間に前記のような浮き上がりが起きやすい。
【０００８】
本発明の技術的課題は、このような問題に着目し、屋根ユニットの上端を躯体側に引っ掛けた状態で軒側を回動上昇させる施工方法における前記のような作業性の問題を解消可能な屋根ユニットの取付け固定構造と施工方法を実現することにある。
【課題を解決するための手段】
【０００９】
本発明の技術的課題は次のような手段によって解決される。請求項１は、建造物の躯体又は支柱に対し片流れ屋根構造の屋根ユニットを支持固定する構造に用いる金具であって、予め躯体又は支柱に固定しておくための上向きコ字状金具を有しており、その片方の腕部を躯体又は支柱に固定し、他方の腕部には、前記の固定側の腕部に向けてフック用ネジを螺合してあること、前記の両方の腕部間の底板部は、屋根の勾配と同じ角度となるように傾斜させてあることを特徴とする屋根ユニットの支持金具である。
【００１０】
このように、予め躯体又は支柱に固定しておくための上向きコ字状金具の躯体又は支柱に固定する側の腕部とは別の他方の腕部には、前記の固定側の腕部に向けてフック用ネジを螺合してあるため、立てた状態の屋根ユニットの屋根勾配上端のほぼＬ字状部の横向き辺を前記の固定側の腕部とフック用ネジの先端との間に引っ掛けた状態で、屋根ユニットの下側を回動上昇させて所定の勾配角度まで回動上昇できるので、この回動上昇の際に、Ｌ字状部の横向き辺がフック用ネジの下側に回動して潜り込むことになり、施工作業中に屋根ユニットの勾配上端側が支持金具から離脱したりするのを確実に防止でき、施工を円滑に遂行できる。
【００１１】
請求項２は、建造物の躯体又は支柱に対し片流れ屋根構造の屋根ユニットを取付け固定する資材であって、屋根ユニットの勾配上側を支持するための上向きコ字状金具は、その片方の腕部が躯体又は支柱に固定可能となっており、他方の腕部には、前記の固定側の腕部に向けてフック用ネジを螺合してあること、前記の両方の腕部間の底板部は、屋根の勾配と同じ角度となるように傾斜させてあること、屋根ユニットの勾配上端部には、前記のコ字状金具のフック用ネジの下側に回動して嵌め込まれるほぼＬ字状部を固定してあり、このＬ字状部の縦辺側が躯体又は支柱に固定可能となっており、横向き辺は、前記コ字状金具の底板部の上にピッタリと重なる角度となっていることを特徴とする屋根ユニットと取付け資材である。
【００１２】
このように、上向きコ字状の支持金具は、その片方の腕部が躯体又は支柱に固定可能となっており、他方の腕部には、前記の固定側の腕部に向けてフック用ネジを螺合してあり、また屋根ユニットの屋根勾配上端部には、前記のコ字状金具のフック用ネジの下側に回動して嵌め込まれるほぼＬ字状部を固定してあり、このＬ字状部の横向き辺は、前記コ字状金具の底板部の上にピッタリと重なる角度となっている。そのため、屋根ユニットの勾配上側を前記支持金具の固定側の腕部とフック用ネジの先端との間に引っ掛けた状態で、屋根ユニットの軒側を回動上昇させると、Ｌ字状部の横向き辺がフック用ネジの下側に潜り込んで、屋根ユニットの勾配上側が支持金具から離脱不能となるので、躯体又は支柱へ取付け固定する作業が円滑かつ確実に遂行可能となる。したがって、作業中に風雨になったりしても、あるいは不安定な場所や高所であっても、比較的容易に屋根ユニットを取付け固定する作業を遂行できる。
【００１３】
請求項３は、建造物の躯体又は支柱に対し片流れ屋根構造の屋根ユニットを取付け固定した構造であって、屋根ユニットの勾配上側を支持するための上向きコ字状金具は、その片方の腕部が躯体又は支柱に取付け固定されており、他方の腕部には、前記の固定側の腕部に向けてフック用ネジを螺合してあること、前記の両方の腕部間の底板部は、屋根の勾配と同じ角度となるように傾斜させてあること、屋根の勾配上端部には、前記のコ字状金具のフック用ネジの下側に回動して嵌め込まれたほぼＬ字状部を固定してあり、このＬ字状部の縦辺側が躯体又は支柱に固定されており、横向き辺は、前記コ字状金具の底板部の上にピッタリと重なっていることを特徴とする屋根ユニットの取付け固定構造である。
【００１４】
このように、上向きコ字状金具の片方の腕部が躯体又は支柱に取付け固定されており、他方の腕部には、前記の固定側の腕部に向けてフック用ネジを螺合してあり、屋根ユニットの勾配上端部には、前記のコ字状金具のフック用ネジの下側に回動して嵌め込まれたほぼＬ字状部を固定してあり、このＬ字状部の縦辺側が躯体又は支柱に固定されており、横向き辺は、前記コ字状金具の底板部の上にピッタリと重なっているため、屋根ユニットの躯体又は支柱への取付け固定に際して、屋根ユニットのＬ字状部の横向き辺がフック用ネジの下側に潜り込んで離脱不能となる。その結果、屋根ユニットの躯体又は支柱への取付け固定が円滑かつ確実に行なえる。
【００１５】
請求項４は、建造物の躯体又は支柱に対し片流れ屋根構造の屋根ユニットを取付け固定する施工方法であって、屋根ユニットの勾配上側を支持する上向きコ字状金具は、その片方の腕部を躯体又は支柱に固定してあり、他方の腕部には、前記の固定側の腕部に向けてフック用ネジを螺合した状態において、前記の屋根ユニットを立てた状態で、屋根勾配上端のほぼＬ字状部の横向き辺を前記の固定側の腕部とフック用ネジの先端との間に引っ掛けた状態で、屋根ユニットの下側を回動上昇させて所定の勾配角度とする際に、Ｌ字状部の横向き辺をフック用ネジの下側に回動させて潜り込ませてから、前記の屋根ユニットの勾配上桁を躯体又は支柱に固定することを特徴とする屋根ユニットの取付け固定方法である。
【００１６】
このように、上向きコ字状金具の片方の腕部を躯体又は支柱に固定してあり、他方の腕部には、前記の固定側の腕部に向けてフック用ネジを螺合した状態において、前記の屋根ユニットを立てた状態で、屋根勾配上端のほぼＬ字状部の横向き辺を前記の固定側の腕部とフック用ネジの先端との間に引っ掛けた状態で、屋根ユニットの軒側を回動上昇させて所定の勾配角度とする際に、Ｌ字状部の横向き辺をフック用ネジの下側に回動させて潜り込ませてから、前記の屋根ユニットの勾配上桁を躯体又は支柱に固定する工法を採っているため、一連の取付け固定作業に際して、屋根ユニットの勾配上桁側が支持金具から離脱したりするのを防止でき、施工作業か円滑かつ確実に遂行可能となり、不安定な場所や高所での作業とか風雨の強い悪天候時の作業も可能となる。その結果、熟練者でなくても、またより少ない人数で屋根ユニットを躯体又は支柱に取付け固定可能となる。
【発明の効果】
【００１７】
請求項１のように、予め躯体又は支柱に固定しておくための上向きコ字状金具の躯体又は支柱に固定する側の腕部とは別の他方の腕部には、前記の固定側の腕部に向けてフック用ネジを螺合してあるため、立てた状態の屋根ユニットの屋根勾配上端のほぼＬ字状部の横向き辺を前記の固定側の腕部とフック用ネジの先端との間に引っ掛けた状態で、屋根ユニットの下側を回動上昇させて所定の勾配角度まで回動上昇できるので、この回動上昇の際に、Ｌ字状部の横向き辺がフック用ネジの下側に回動して潜り込むことになり、施工作業中に屋根ユニットの勾配上端側が支持金具から離脱したりするのを確実に防止でき、施工を円滑に遂行できる。
【００１８】
請求項２のように、上向きコ字状の支持金具は、その片方の腕部が躯体又は支柱に固定可能となっており、他方の腕部には、前記の固定側の腕部に向けてフック用ネジを螺合してあり、また屋根ユニットの屋根勾配上端部には、前記のコ字状金具のフック用ネジの下側に回動して嵌め込まれるほぼＬ字状部を固定してあり、このＬ字状部の横向き辺は、前記コ字状金具の底板部の上にピッタリと重なる角度となっている。そのため、屋根ユニットの勾配上側を前記支持金具の固定側の腕部とフック用ネジの先端との間に引っ掛けた状態で、屋根ユニットの軒側を回動上昇させると、Ｌ字状部の横向き辺がフック用ネジの下側に潜り込んで、屋根ユニットの勾配上側が支持金具から離脱不能となるので、躯体又は支柱へ取付け固定する作業が円滑かつ確実に遂行可能となる。したがって、作業中に風雨になったりしても、あるいは不安定な場所や高所であっても、比較的容易に屋根ユニットを取付け固定する作業を遂行できる。
【００１９】
請求項３のように、上向きコ字状金具の片方の腕部が躯体又は支柱に取付け固定されており、他方の腕部には、前記の固定側の腕部に向けてフック用ネジを螺合してあり、屋根ユニットの勾配上端部には、前記のコ字状金具のフック用ネジの下側に回動して嵌め込まれたほぼＬ字状部を固定してあり、このＬ字状部の縦辺側が躯体又は支柱に固定されており、横向き辺は、前記コ字状金具の底板部の上にピッタリと重なっているため、屋根ユニットの躯体又は支柱への取付け固定に際して、屋根ユニットのＬ字状部の横向き辺がフック用ネジの下側に潜り込んで離脱不能となる。その結果、屋根ユニットの躯体又は支柱への取付け固定が円滑かつ確実に行なえる。
【００２０】
請求項４のように、上向きコ字状金具の片方の腕部を躯体又は支柱に固定してあり、他方の腕部には、前記の固定側の腕部に向けてフック用ネジを螺合した状態において、前記の屋根ユニットを立てた状態で、屋根勾配上端のほぼＬ字状部の横向き辺を前記の固定側の腕部とフック用ネジの先端との間に引っ掛けた状態で、屋根ユニットの軒側を回動上昇させて所定の勾配角度とする際に、Ｌ字状部の横向き辺をフック用ネジの下側に回動させて潜り込ませてから、前記の屋根ユニットの勾配上桁を躯体又は支柱に固定する工法を採っているため、一連の取付け固定作業に際して、屋根ユニットの勾配上桁側が支持金具から離脱したりするのを防止でき、施工作業か円滑かつ確実に遂行可能となり、不安定な場所や高所での作業とか風雨の強い悪天候時の作業も可能となる。その結果、熟練者でなくても、またより少ない人数で屋根ユニットを躯体又は支柱に取付け固定可能となる。
【発明を実施するための最良の形態】
【００２１】
次に本発明による屋根ユニットの取付け固定構造と施工方法が実際上どのように具体化されるか実施形態を説明する。図１は本発明による屋根ユニットの取付け固定構造に用いる支持金具と屋根ユニットを示す側面図であり、１が屋根ユニット、２が支持金具である。
【００２２】
屋根ユニット１は、屋根材として波板５を用いているため、勾配を有しているたる木３の上に、勾配方向に一定の間隔をおいて、水平方向のもや４を配置し固定してある。そして、このもや４の上にトタン板や合成樹脂製の波板５などを重ねて、固定してある。
【００２３】
各たる木３の勾配下端は軒桁６の横溝６ｂ中に挿入してボルト止めされており、波板５の勾配下端は、軒桁６上の雨樋溝６ａの上側に位置している。そして、波板５の勾配下端と雨樋溝６ａおよび軒桁６は一体のカバー板部６ｃで覆われ、見栄え良くなっている。
【００２４】
各たる木３の勾配上端は上桁７のＬ字状部の下端の横向き辺７ａの上に載せてボルト止めされている。上桁７の上端には水平方向の横溝７ｂが形成されており、その中に、波板５の勾配上端部が挿入されている。
【００２５】
上桁７の躯体側と接する面７ｃは、鉛直方向に向いており、Ｌ字状部の下端の横向き辺７ａは、屋根ユニットを設置完成したときの屋根勾配と同じ角度だけ傾斜している。上桁７の躯体側への取付け面７ｃに対しＬ字状部下端の横向き辺７ａは直角ではなく、屋根勾配と同じ角度に傾斜している。屋根ユニット１は、地上において、あるいは工場などで予め以上のような構造に組立て形成されている。
【００２６】
躯体側壁８には、前記の支持金具２を固定してある。図２はこの支持金具２の詳細を示す斜視図である。この支持金具２は、断面形状が、上向きコ字状をしており、その片方の腕部２ａを躯体側壁８に図１の木ネジ９などで取付け固定してある。そのため、取付け用の腕部２ａには、木ネジ９を挿入するための取付け孔２ｂを開けてある。
【００２７】
このコ字状の支持金具２の他方の腕部２ｃには、前記の固定側の腕部２ａに向けてフック用ネジ１０を螺合支持してある。取付け固定用の腕部２ａと他方の引っ掛け用の腕部２ｃとの間の底板部２ｄは、屋根ユニット１の屋根勾配と同じ角度となるように傾斜させてある。すなわち、躯体側壁８に鉛直状態に取付け固定される腕部２ａに対し底板部２ｄは直角ではなく、屋根勾配αだけ傾斜させてある。
【００２８】
図３は前記の屋根ユニット１を前記の上向きコ字状の支持金具２を介して躯体８側に取付け支持した状態の側面図である。この図のように、屋根ユニット１を躯体８側に取付け固定した状態では、屋根ユニット１の上桁７のＬ字状部下端の横向き辺７ａが前記のフック用ネジ１０の下側に位置しており、しかも横向き辺７ａが前記の上向きコ字状の支持金具２の底板部２ｄの上にピッタリ重なった状態となる。なお、図面上は、わずかに離した状態で表示してある。
【００２９】
このように位置決めされた状態で、屋根ユニットの上桁７が躯体側壁８に木ネジやアンカーボルトなどを用いて固定される。フック用ネジ１０は、十分に締めつけて、フック用ネジ全長が前記の固定腕部２ａ側に突出した状態にしておくのがよい。一方、屋根ユニットの軒側は、支柱１１の上に載せて、支持固定される。
【００３０】
次に、図４において、図１の屋根ユニット１を躯体側に取付け固定する施工方法を説明する。まず、前記のような上向きコ字状の支持金具２の取付け腕部２ａを予め躯体側壁８に木ネジ９などで取付け固定しておく。次いで、図４のように、図１の屋根ユニット１を立てた状態で、勾配上桁７のＬ字状部の横向き辺７ａを支持金具２の取付け腕部２ａとフック用ネジ１０の先端との間に引っ掛ける。
【００３１】
このように引っ掛けた状態で、屋根ユニット１の下端を持ち上げて矢印ａ１方向に回動させ、上昇させる。すなわち、前記のように、引っ掛けた状態の横向き辺７ａを支点にして、屋根ユニット１全体を矢印ａ１方向に約９０度弱回動させる。鎖線１ａは、屋根ユニット１を回動上昇させる際の途中位置である。
【００３２】
こうして、屋根ユニット１が図３の位置に来るように、屋根ユニット１を９０度近くまで回動上昇させる。次いで、屋根ユニット１の軒桁６側を図３の支柱１１の上に載せて仮支持すると共に、フック用ネジ１０の全長が支持金具２の取付け腕部２ａ側に突出するまで締めつけると、屋根ユニットの勾配上桁７側が支持金具２から浮き上がったり離脱するような恐れはなく、屋根ユニット１の勾配上側は確実に支持金具２に支持される。
【００３３】
したがって、その後に、屋根ユニットの軒桁６側を支柱１１に固定したり、屋根ユニットの勾配上桁７を躯体側壁８にネジやアンカーボルトなどで固定するなどの本固定作業をしている間に、屋根ユニットの勾配上桁７側が支持金具２から浮き上がったり離脱したりする恐れは無い。
【００３４】
また、図４に実線で示す位置から鎖線位置を経過して、図３の屋根勾配の位置まで屋根ユニットを回動上昇させる間は、Ｌ字状部の横向き辺７ａが次第にフック用ネジ１０の下側に潜り込む状態となるので、このように屋根ユニットを回動上昇させる際の不安定状態の間に勾配上桁７が躯体側の支持金具２から離脱するのも防止できる。
【００３５】
図５は、屋根ユニット１の勾配上端部に取付ける上桁７の別の実施形態を示す側面図である。図１では、上桁７の躯体側と接する面７ｃとＬ字状部の上下方向の辺７Ｌとは同一面となっているのに対し、図５では、躯体側と接する面７ｃとＬ字状部の上下方向の辺７Ｌとが段違いになっている。図５においても、躯体側と接する鉛直方向の面７ｃに対し、Ｌ字状部の横向き辺７ａは直角ではなく、屋根勾配と同じ角度に傾斜していることは言うまでもない。
【００３６】
以上の実施形態において、上向きコ字状の支持金具２は、屋根ユニット１の幅と同じ長さの長溝状金具でもよいが、図２のように１０ｃｍ程度以内の幅の狭い形状の方が、屋根ユニットを引っ掛け易い。
【００３７】
図示例は、屋根ユニットを躯体の側壁に取付け固定する構造になっているが、独立して立っている支柱などに、片流れ屋根構造の屋根ユニットを取付け固定する場合にも以上の手法を同様に適用できる。
【産業上の利用可能性】
【００３８】
本発明は、建物の躯体や支柱などに、テラスや簡易小屋、車庫などにするための屋根ユニットを取付け固定する場合に利用できる。
【図面の簡単な説明】
【００３９】
【図１】本発明による屋根ユニットの取付け固定構造に用いる支持金具と屋根ユニットを示す側面図である。
【図２】図１の支持金具の詳細を示す斜視図である。
【図３】屋根ユニットを上向きコ字状の支持金具を介して躯体側に取付け固定した状態の側面図である。
【図４】屋根ユニットを躯体側に取付け固定する施工方法を示す側面図である。
【図５】屋根ユニットの勾配上端部に取付ける上桁の別の実施形態を示す側面図である。
【符号の説明】
【００４０】
１  屋根ユニット
２  支持金具
２ａ  固定用の腕部
２ｃ  引っ掛け用腕部
２ｄ  底板部
６  軒桁
７  上桁
７ａ  横向き辺
７ｂ  横溝
７ｃ  躯体側と接する面
８  躯体側壁
９  木ネジ
１０  フック用ネジ
１１  支柱
【図１】
0003709403.tif 000002
【図２】
0003709403.tif 000003
【図３】
0003709403.tif 000004
【図４】
0003709403.tif 000005
【図５】
0003709403.tif 000006